(57)【要約】【課題】回転中心軸を中心に多段に配置された導体バーを備えたコアと、多段に配置されたコイルとを含む、発電機として使用可能な誘導モーターを提供する。【解決手段】 本発明に係る誘導モーターは回転子と固定子を備える。ここで、前記回転子は、半径方向に多段配置された複数の円筒状コアと、複数の導体バーを備える。前記コアは円周面に軸方向に設けられた溝を円周方向に複数備え、前記導体バーは前記各段のコアの溝に挿入される。前記固定子は電機子鉄心と電機子コイルを備える。前記電機子鉄心は、前記コアの溝が設けられた円周面に対向するように半径方向に少なくとも１段配置される。前記電機子コイルは前記それぞれの導体バーに対応するように前記電機子鉄心に複数が巻線される。そして、前記誘導モーターは発電機としても使用可能である。【選択図】図１
2011504089.tif 000002
【特許請求の範囲】
【請求項１】
円周面に軸方向に設けられた溝を円周方向に複数備え且つ半径方向に多段配置された複数の円筒状コア、および前記各段のコアの溝に挿入された複数の導体バーを備えた回転子と、
前記溝が設けられた円周面に対向するように半径方向に少なくとも１段配置された電機子鉄心、およびそれぞれの前記導体バーに対応するように前記電機子鉄心に巻線された複数の電機子コイルを備えた固定子とを含むことを特徴とする、 多段回転子を備えた発電機兼誘導モーター。
【請求項２】
前記溝は前記コアの内周面に設けられたことを特徴とする、請求項１に記載の多段回転子を備えた発電機兼誘導モーター。
【請求項３】
前記回転子の回転中心に位置した固定軸をさらに含み、
前記回転子は、それぞれの前記コアを前記固定軸に回転可能に結合させるためのコア結合手段をさらに備え、
前記固定子は、それぞれの前記電機子鉄心を前記固定軸に固着させるための鉄心結合手段をさらに備えることを特徴とする、請求項２に記載の多段回転子を備えた発電機兼誘導モーター。
【請求項４】
前記コア結合手段は、一面がそれぞれの前記コアの一側に結合され、前記固定軸に回転可能に固定された回転ディスクであり、
前記鉄心結合手段は、一面が、それぞれの前記コアの間に配置された電機子鉄心の一側に結合され、前記固定軸に固定された固定ディスクであることを特徴とする、請求項３に記載の多段回転子を備えた発電機兼誘導モーター。
【請求項５】
前記回転子は、前記コアの内周面と半径方向に対向した前記コアの外周面に前記溝がさらに設けられ、前記外周面に設けられた溝に挿入された導体バーをさらに備え、
前記固定子は、前記コアの外周面に設けられた溝に挿入された導体バーに対応するようにそれぞれの前記コアの間に位置した電機子鉄心に巻線された複数の電機子コイルをさらに備えることを特徴とする、請求項４に記載の多段回転子を備えた発電機兼誘導モーター。
【請求項６】
前記電機子鉄心のうち、前記固定軸に隣り合っている電機子鉄心は前記固定軸に固定されたことを特徴とする、請求項５に記載の多段回転子を備えた発電機兼誘導モーター。
【請求項７】
前記コアは前記回転ディスクに着脱可能に結合されたことを特徴とする、請求項６に記載の多段回転子を備えた発電機兼誘導モーター。
【請求項８】
前記回転子の回転中心に位置した回転軸をさらに含み、
前記回転子は、それぞれの前記コアを前記回転軸に固着させるためのコア結合手段をさらに備え、
前記固定子は、それぞれの前記電機子鉄心を前記回転軸に相対的に回転可能に固定させるための鉄心結合手段をさらに備えることを特徴とする、請求項２に記載の多段回転子を備えた発電機兼誘導モーター。
【請求項９】
前記コア結合手段は、一面がそれぞれの前記コアの一側に結合され、前記回転軸に固定された回転ディスクであり、
前記鉄心結合手段は、一面がそれぞれの前記電機子鉄心の一側に結合され、前記回転軸に相対的に回転可能に固定された固定ディスクであることを特徴とする、請求項８に記載の多段回転子を備えた発電機兼誘導モーター。
【請求項１０】
前記回転子は、前記コアの内周面と半径方向に対向した前記コアの外周面に前記溝がさらに設けられ、前記外周面に設けられた溝に挿入された複数の導体バーをさらに備え、
前記固定子は、前記外周面に設けられた溝に挿入された導体バーに対応するようにそれぞれの前記コアの間に位置した電機子鉄心に巻線された複数の電機子コイルをさらに備えることを特徴とする、請求項９に記載の多段回転子を備えた発電機兼誘導モーター。
【請求項１１】
前記コアは前記回転ディスクに着脱可能に結合されたことを特徴とする、 請求項１０に記載の多段回転子を備えた発電機兼誘導モーター。
【請求項１２】
前記回転子は、軸方向に少なくとも１段さらに配置された円筒状コアと、導体バーをさらに備え、
前記固定子は、前記さらに配置された円筒状コアに対向するように配置された前記電機子鉄心と、前記複数の電機子コイルをさらに備えることを特徴とする、請求項２に記載の多段回転子を備えた発電機兼誘導モーター。
【請求項１３】
前記回転子の回転中心に位置した固定軸をさらに含み、
前記回転子は、それぞれの前記コアを前記固定軸に対して回転可能に結合させるためのコア結合手段をさらに備え、
前記固定子は、それぞれの前記電機子鉄心を前記固定軸に固着させるための鉄心結合手段をさらに備えることを特徴とする、請求項１２に記載の多段回転子を備えた発電機兼誘導モーター。
【請求項１４】
前記コア結合手段は、一面が、半径方向に多段配置されたそれぞれの前記コアの一側に結合され、前記固定軸に回転可能に固定され、軸方向に少なくとも１段配置された回転ディスクであり、
前記鉄心結合手段は、一面が、半径方向に少なくとも１段配置された前記電機子鉄心の一側に結合され、前記固定軸に固着され、軸方向に少なくとも１段配置された固定ディスクであることを特徴とする、請求項１３に記載の多段回転子を備えた発電機兼誘導モーター。
【請求項１５】
前記回転子は、前記コアの内周面と半径方向に対向した前記コアの外周面に前記溝がさらに設けられ、前記外周面に設けられた溝に挿入された導体バーをさらに備え、
前記固定子は、前記外周面に設けられた溝に挿入された導体バーに対応するようにそれぞれの前記コアの間に位置した電機子鉄心に巻線された複数の電機子コイルをさらに備えることを特徴とする、請求項１４に記載の多段回転子を備えた発電機兼誘導モーター。
【請求項１６】
前記電機子鉄心のうち、前記固定軸に隣り合っている電機子鉄心は前記固定軸に固定されたことを特徴とする、請求項１５に記載の多段回転子を備えた発電機兼誘導モーター。
【請求項１７】
それぞれの前記コアは前記回転ディスクに着脱可能に結合されたことを特徴とする、請求項１６に記載の多段回転子を備えた発電機兼誘導モーター。
【請求項１８】
前記回転子の回転中心に位置した回転軸をさらに含み、
前記回転子は、それぞれの前記コアを前記回転軸に固着させるためのコア結合手段をさらに備え、
前記固定子は、それぞれの前記電機子鉄心を前記回転軸に相対的に回転可能に固定させるための鉄心結合手段をさらに備えることを特徴とする、請求項１２に記載の多段回転子を備えた発電機兼誘導モーター。
【請求項１９】
前記コア結合手段は、一面が、半径方向に多段配置されたそれぞれの前記コアの一側に結合され、前記回転軸に固着され、軸方向に少なくとも１段配置された回転ディスクであり、
前記鉄心結合手段は、一面が、半径方向に少なくとも１段配置された前記電機子鉄心の一側に結合され、前記回転軸に相対的に回転可能に固定され、軸方向に少なくとも１段配置された固定ディスクであることを特徴とする、請求項１８に記載の多段回転子を備えた発電機兼誘導モーター。
【請求項２０】
前記回転子は、前記コアの内周面と半径方向に対向した前記コアの外周面に前記溝がさらに設けられ、前記外周面に設けられた溝に挿入された導体バーをさらに備え、
前記固定子は、前記外周面に設けられた溝に挿入された導体バーに対応するようにそれぞれの前記コアの間に位置した電機子鉄心に巻線された複数の電機子コイルをさらに備えることを特徴とする、請求項１９に記載の多段回転子を備えた発電機兼誘導モーター。
【請求項２１】
それぞれの前記コアは前記回転ディスクに着脱可能に結合されたことを特徴とする、請求項２０に記載の多段回転子を備えた発電機兼誘導モーター。
【請求項２２】
前記導体バーはアルミニウムまたは銅でできていることを特徴とする、請求項１〜２１のいずれか１項に記載の多段回転子を備えた発電機兼誘導モーター。
【発明の詳細な説明】
【技術分野】
【０００１】
本発明は、同心に配置された多段回転子を備えた、発電機としての使用も可能な誘導モーターに関する。さらに詳しくは、回転中心軸を中心に多段に配置された導体バーを備えたコアと、多段に配置されたコイルとを含む、発電機兼誘導モーターに関する。本発明は、使用目的に応じて、軸が固定され且つ誘導モーターのハウジングが回転するハブ(Hub)タイプと、ハウジングが固定され且つ軸が回転するタイプに分けて適用できる。          
【背景技術】
【０００２】
モーターは、電気エネルギーを用いて機械的動きを作り出す装置である。このようなモーターは、直流電気を使用する直流モーター（または整流子モーター）と、交流電気を使用する誘導モーターに分けられる。誘導モーターはさらに単相交流用と３相交流用に分けられる。単相交流用誘導モーターは主に洗濯機、ミシンなどの家庭用機器に用いられ、３相交流用誘導モーターは工場用やビルなどの動力設備として多用される。
【０００３】
従来の誘導モーターは、中心軸、固定子および回転子から構成されている。固定子は、電機子鉄心にコイルが巻線されており、回転磁界を発生させる。前記電機子鉄心は、磁性体内でのヒステリシスの損失を最小化するために薄い珪素鋼板を成層して作られる。回転子は溝付き成層鉄心と、前記溝にアルミニウムまたは銅で形成された導体バーとから構成される。
【０００４】
前記電機子鉄心のコイルに電源を印加すると、回転磁界が発生し、前記回転磁界によって導体バーに誘導電流が発生する。前記回転磁界と誘導電流によって電磁力が発生して回転子を回転させる。
【０００５】
このような前記誘導モーターは、整流子やブラシなどの部品が不要であるうえ、構造が簡単なので、広く用いられる。また、このような誘導モーターは、逆に前記回転子を回転させると、電気が発生するので、発電機としても使用できる。特に風力発電機または大型発電機としての使用も可能である。
【０００６】
従来の誘導モーターは、コイルおよびコアがそれぞれ１段に構成されている。よって、従来の誘導モーターは、十分な出力を得るために体積が大きくならなければならず、誘導モーターの体積が小さい場合、起磁力が非常に小さくてトルクが小さかった。よって、前記誘導モーターを用いた動力装置は、大きさに比べて十分な高出力を出すことができないという問題点があった。
【発明の概要】
【発明が解決しようとする課題】
【０００７】
そこで、本発明は、上述した問題点を解決するためのもので、その目的は、小型にしても強力な出力を出すことが可能な誘導モーターを提供することにある。
【課題を解決するための手段】
【０００８】
本発明に係る誘導モーターは回転子と固定子を備える。ここで、前記回転子は、半径方向に多段配置された複数の円筒状コアと、複数の導体バーとを備える。前記コアは円周面に軸方向に設けられた溝を円周方向に複数備え、前記導体バーは前記各段のコアの溝に挿入される。前記固定子は電機子鉄心と電機子コイルを備える。前記電機子鉄心は、前記コアの溝が設けられた円周面に対向するように半径方向に少なくとも１段配置される。前記電機子コイルは前記それぞれの導体バーに対応するように前記電機子鉄心に複数巻線される。前記誘導モーターは発電機としての使用も可能である。
【０００９】
また、前記誘導モーターにおいて、前記溝は前記コアの内周面に設けられたことが好ましい。
【００１０】
前記誘導モーターの一実施例は、前記回転子の回転中心に位置した固定軸をさらに含むことが可能である。この場合、前記回転子は前記それぞれのコアを前記固定軸に回転可能に結合させるためのコア結合手段をさらに備える。そして、前記固定子は前記それぞれの電機子鉄心を前記固定軸に固着させるための鉄心結合手段をさらに備える。
【００１１】
前記誘導モーターの一実施例において、前記コア結合手段は、一面が前記それぞれのコアの一側に結合され、前記固定軸に回転可能に固定された回転ディスクであることが好ましい。前記鉄心結合手段は、一面が前記それぞれのコアの間に配置された電機子鉄心の一側と結合され、前記固定軸に固定された固定ディスクであることが好ましい。
【００１２】
また、前記誘導モーターの一実施例において、前記回転子は、前記コアの内周面に半径方向に対向した前記コアの外周面に前記溝がさらに設けられ、前記外周面に設けられた溝に挿入された導体バーをさらに備えることが好ましい。前記固定子は、前記外周面に設けられた溝に挿入された導体バーに対応するように前記それぞれのコアの間に位置した電機子鉄心に巻線された複数の電機子コイルをさらに備えることが好ましい。
【００１３】
また、前記誘導モーターの一実施例において、前記電機子鉄心のうち、前記固定軸に隣り合っている電機子鉄心は前記固定軸に固定されたことが好ましい。
【００１４】
また、前記誘導モーターの一実施例において、前記コアは前記回転ディスクに着脱可能に結合されることが好ましい。
【００１５】
前記誘導モーターの他の実施例は、前記回転子の回転中心に位置した回転軸をさらに含むことが可能である。この場合、前記回転子は、前記それぞれのコアを前記回転軸に固着させるためのコア結合手段をさらに備える。前記固定子は、前記それぞれの電機子鉄心を前記回転軸に相対的に回転可能に固定させるための鉄心結合手段をさらに備える。
【００１６】
前記誘導モーターの他の実施例において、前記コア結合手段は、一面が前記それぞれのコアの一側と結合され、前記回転軸に固定された回転ディスクであることが好ましい。前記鉄心結合手段は、一面が前記それぞれの電機子鉄心の一側と結合され、前記回転軸に相対的に回転可能に固定された固定ディスクであることが好ましい。
【００１７】
また、前記誘導モーターの他の実施例において、前記回転子は、前記コアの内周面に半径方向に対向した前記コアの外周面に前記溝がさらに設けられ、前記外周面に設けられた溝に挿入された導体バーをさらに備えることが好ましい。前記固定子は、前記外周面に設けられた溝に挿入された導体バーに対応するように前記それぞれのコアの間に位置した電機子鉄心に巻線された複数の電機子コイルをさらに備えることが好ましい。  
【００１８】
また、前記誘導モーターの他の実施例において、前記コアは前記回転ディスクに着脱可能に結合されたことが好ましい。
【００１９】
前記誘導モーターの別の実施例は、前記回転子は軸方向に少なくとも１段さらに配置されたそれぞれの前記円筒状コアと、それぞれの前記導体バーをさらに備える。そして、前記固定子は、前記さらに配置された円筒状コアに対向するように配置された前記電機子鉄心と、前記複数の電機子コイルをさらに備える。
【００２０】
前記誘導モーターの別の実施例において、前記誘導モーターは、前記回転子の回転中心に位置した固定軸をさらに含むことが可能である。この場合、前記回転子はそれぞれの前記コアを前記固定軸に対して回転可能に結合させるためのコア結合手段をさらに備える。前記固定子はそれぞれの前記電機子鉄心を前記固定軸に固着させるための鉄心結合手段をさらに備える。
【００２１】
また、前記誘導モーターの別の実施例において、前記コア結合手段は、一面が、半径方向に多段配置されたそれぞれの前記コアの一側と結合され、前記固定軸に回転可能に固定され、軸方向に少なくとも１段配置された回転ディスクであることが好ましい。前記鉄心結合手段は、一面が、半径方向に少なくとも１段配置された前記電機子鉄心の一側と結合され、前記固定軸に固着され、軸方向に少なくとも１段配置された固定ディスクであることが好ましい。
【００２２】
また、前記誘導モーターの別の実施例において、前記回転子は、前記コアの内周面に半径方向に対向した前記コアの外周面に前記溝がさらに設けられ、前記外周面に設けられた溝に挿入された導体バーをさらに備えることが好ましい。前記固定子は前記外周面に設けられた溝に挿入された導体バーに対応するように前記それぞれのコアの間に位置した電機子鉄心に巻線された複数の電機子コイルをさらに備えることが好ましい。
【００２３】
また、前記誘導モーターの別の実施例において、前記電機子鉄心のうち、前記固定軸に隣り合っている電機子鉄心は前記固定軸に固定されたことが好ましい。
【００２４】
また、前記誘導モーターの別の実施例において、前記それぞれのコアは前記回転ディスクに着脱可能に結合されたことが好ましい。
【００２５】
一方、前記誘導モーターの別の実施例において、前記誘導モーターは、前記固定軸の代わりに、前記回転子の回転中心に位置した回転軸をさらに含むことが可能である。この場合、前記回転子はそれぞれの前記コアを前記回転軸に固着させるためのコア結合手段をさらに備える。前記固定子はそれぞれの前記電機子鉄心を前記回転軸に相対的に回転可能に固定させるための鉄心結合手段をさらに備える。
【００２６】
また、前記誘導モーターの別の実施例において、前記コア結合手段は、一面が、半径方向に多段配置されたそれぞれの前記コアの一側と結合され、前記回転軸に固着され、軸方向に少なくとも１段配置された回転ディスクであることが好ましい。前記鉄心結合手段は、一面が、半径方向に少なくとも１段配置された前記電機子鉄心の一側と結合され、前記回転軸に相対的に回転可能に固定され、軸方向に少なくとも１段配置された固定ディスクであることが好ましい。
【００２７】
また、前記誘導モーターの別の実施例において、前記回転子は、前記コアの内周面に半径方向に対向した前記コアの外周面に前記溝がさらに設けられ、前記外周面に設けられた溝に挿入された導体バーをさらに備えることが好ましい。前記固定子は、前記外周面に設けられた溝に挿入された導体バーに対応するように前記それぞれのコアの間に位置した電機子鉄心に巻線された複数の電機子コイルをさらに備えることが好ましい。
【００２８】
また、前記誘導モーターの別の実施例において、前記それぞれのコアは前記回転ディスクに着脱可能に結合されたことが好ましい、
【００２９】
また、前記誘導モーターにおいて、前記導体バーは、電気抵抗の少ない導体であるアルミニウムまたは銅からなることが好ましい。
【図面の簡単な説明】
【００３０】
【図１】本発明に係る多段回転子を備えた誘導モーターの一実施例を示す断面図である。
【図２】図１に示した実施例の側断面図である。
【図３】本発明に係る多段回転子を備えた誘導モーターの他の実施例を示す断面図である。
【図４】図３に示した実施例の側断面図である。
【図５】本発明に係る多段回転子を備えた誘導モーターの別の実施例を示す断面図である。
【図６】本発明に係る多段回転子を備えた誘導モーターの別の実施例を示す断面図である。
【発明を実施するための形態】
【００３１】
図１は本発明に係る多段回転子を備えた誘導モーターの一実施例を示す断面図、図２は図１に示した実施例の側断面図である。
【００３２】
図１に示した誘導モーター６０は、ハウジングが回転するタイプであって、固定軸１０、回転子２０および固定子４０を含んでなる。
【００３３】
回転子２０はコア２１、２３と回転ディスク３１を含む。回転ディスク３１はベアリング３３によって固定軸１０に回転可能に支持されている。コア２１、２３は、円筒状をし、半径方向に２段配置される。さらに詳しく説明すると、コア２１、２３は大径の第１コア２１と小径の第２コア２３から構成される。前記コア２１、２３はそれぞれ一側が回転ディスク３１の一面に着脱可能にボルト３５によって結合される。第１コア２１の内周面には、後述の第１導体バー２５が挿入されるために軸方向に設けられた溝が半径方向に沿って複数備えられる。また、第２コア２３の外周面および内周面には第２導体バー２７および第３導体バー２９が挿入されるために軸方向に設けられた溝が半径方向に沿って複数備えられる。勿論、コア２１、２３は実施例によって多段配置できる。
【００３４】
導体バー２５、２７、２９は第１導体バー２５、第２導体バー２７および第３導体バー２９から構成される。前記導体バー２５、２７、２９はアルミニウムまたは銅でできている。第１導体バー２５は第１コア２１の内周面に円周方向に沿って複数固着される。そして、第２導体バー２７は第２コア２３の外周面に円周方向に沿って複数固着され、第３導体バー２９は第２コア２３の内周面に円周方向に沿って複数固着される。
【００３５】
固定子４０は固定ディスク５１、電機子鉄心４１、４３、および電機子コイル４５、４７、４９を含む。固定ディスク５１は固定軸１０に固着される。電機子鉄心４１、４３は第１電機子鉄心４１と第２電機子鉄心４３から構成される。第１電機子鉄心４１は第１コア２１と第２コア２３との間に配置され、外側４１ａおよび内側４１ｂには、コイルが巻線されるための溝が設けられる。前記第１電機子鉄心４１は、一側が固定ディスク５１の一面にボルト５３によって固定される。
【００３６】
第２電機子鉄心４３は、第２コア２３の内部に配置され、前記固定軸１０に固定される。
【００３７】
前記第２電機子鉄心４３の内側にはコイルが巻線されるための溝が設けられる。また、前記電機子鉄心４１、４３は、前記コア２１、２３のように磁力線をよく通過させ且つ渦電流を減少させるために薄い珪素鋼板が積層されて形成される。電機子コイル４５、４７、４９は第１電機子コイル４５、第２電機子コイル４７および第３電機子オイル４９から構成される。第１電機子コイル４５は第１電機子鉄心４１の外側４１ａの溝に巻線され、第２電機子コイル４７は第１電機子鉄心４１の内側４１ｂの溝に巻線される。第３電機子コイル４９は第３電機子鉄心４３の溝に巻線される。前記電機子コイル４５、４７、４９はΔ結線とＹ結線の両方とも使用可能である。
【００３８】
前記電機子コイル４５、４７、４９に電流が供給される場合、回転磁界が発生し、前記電機子コイル４５、４７、４９から発生した回転磁界によって前記導体バー２５、２７、２９に誘導電流が発生する。よって、前記電機子コイル４５、４７、４９によって発生した回転磁界、および前記導体バー２５、２７、２９に発生した誘導電流によって、回転力が発生する。よって、回転子２０が固定軸１０を中心に回転する。
【００３９】
図３は本発明に係る多段回転子を備えた誘導モーターの他の実施例を示す断面図、図４は図３に示した実施例の側断面図である。
【００４０】
図３に示した誘導モーターは、軸が回転するタイプであって、回転軸１１０、回転子１２０および固定子１４０を含む。
【００４１】
回転子１２０は回転ディスク１３１、コア１２１、１２３および導体バー１２５、１２７、１２９を含む。回転ディスク１３１は回転軸１１０に固着される。コア１２１、１２３は半径方向に配置され、半径のサイズによって第１コア１２１と第２コア１２３に区分される。第１コア１２１は、一側が回転ディスク１３１の一面に一体に結合され、内周面には後述の第１導体バー１２５が挿入されるために軸方向に設けられた溝が半径方向に沿って複数備えられる。第２コア１２３は、一側が回転ディスク１３１の一面に着脱可能にボルト１３３によって締結される。第２コア１２３の外側および内側には第２導体バー１２７および第３導体バー１２９が挿入されるために軸方向に設けられた溝が半径方向に沿って複数備えられる。導体バー１２５、１２７、１２９は第１導体バー１２５、第２導体バー１２７および第３導体バー１２９から構成される。それぞれの導体バー１２５、１２７、１２９は、前記コア１２１、１２３の内側および外側に設けられた溝に挿入される。
【００４２】
固定子１４０は、固定ディスク１５１、電機子鉄心１４１、１４３および電機子コイル１４５、１４７、１４９を含む。固定ディスク１５１は回転軸１１０にベアリング１５５によって支持される。電機子鉄心１４１、１４３は第１電機子鉄心１４１と第２電機子鉄心１４３から構成される。第１電機子鉄心１４１は、第１コア１２１と第２コア１２３との間に配置され、固定ディスク１５１の一側に着脱可能にボルト１５３によって結合される。そして、外側１４１ａおよび内側１４１ｂにはコイルが巻線されるための溝が設けられる。第２電機子鉄心１４３は、第２コア１２３の内部に配置され、固定ディスク１５１に着脱可能にボルトによって結合される。第２電機子鉄心１４３の外側１４３ａにはコイルが巻線されるための溝が設けられる。
【００４３】
電機子コイル１４５、１４７、１４９は第１電機子コイル１４５、第２電機子コイル１４７および第３電機子コイル１４９を含む。第１電機子コイル１４５は第１電機子鉄心１４１の外側１４１ａに巻線され、第２電機子コイル１４７は第１電機子鉄心１４１の内側１４１ｂに巻線される。そして、第３電機子コイル１４９は第２電機子鉄心１４３の外側１４３ａに巻線される。
【００４４】
前記誘導モーターの電機子コイル１４５、１４７、１４９に電源が供給されると、トルクが発生し、前記トルクによって回転子１２０は回転する。よって、回転子１２０に固着された回転軸１１０は回転を行う。
【００４５】
図１〜図４はコアおよび電機子鉄心が軸方向に１列配置された誘導モーターの実施例を示す。以下、コアおよび電機子鉄心が軸方向に２列配置された誘導モーターの実施例について説明する。
【００４６】
図５は図１の実施例が軸方向に２列配置された誘導モーターの実施例を示す。
【００４７】
図５に示した誘導モーターは、固定軸２１０、回転子２２０および固定子２４０を含む。
【００４８】
回転子２２０はコア２２１、２２２、２２３、２２４と回転ディスク２３１、２３２を含む。コア２２１、２２２、２２３、２２４は軸方向に２列配置される。第１列のコア２２１、２２３および第２列のコア２２２、２２４それぞれは、図１に示した実施例と同様に、半径方向に沿って２段に配置される。回転ディスク２３１、２３２は第１列の回転ディスク２３１と第２列の回転ディスク２３２から構成される。それぞれの回転ディスク２３１、２３２はベアリング２３３によって固定軸２１０に回転可能に支持される。第１列の回転ディスク２３１の一面には第１列のコア２２１、２２３がボルト２３５によって着脱可能に結合され、第２列の回転ディスク２３２の一面には第２列のコア２２２、２２４がボルト２３５によって着脱可能に結合される。そして、それぞれのコア２２１、２２２、２２３、２２４には、図１と同様に、導体バー２２５、２２６、２２７、２２８、２２９、２３０が半径方向に沿って複数挿入される。
【００４９】
固定子２４０は固定ディスク２５１、電機子鉄心２４１、２４２、２４３、２４４および電機子コイル２４５、２４６、２４７、２４８、２５０を含む。電機子鉄心２４１、２４２、２４３、２４４は軸方向に２列配置される。第１列の電機子鉄心２４１、２４３および第２列の電機子鉄心２４２、２４４は、図１に示した実施例と同様に、半径方向に２段に配置される。そして、電機子コイル２４５、２４６、２４７、２４８、２４９、２５０は前記電機子鉄心２４１、２４２、２４３、２４４に巻線される。
【００５０】
固定ディスク２５１は固定軸２１０に固着される。固定ディスク２５１の一面には第１列の電機子鉄心２４１、２４３が結合され、固定ディスク２５１の他面には第２列の電機子鉄心２４２、２４４が結合される。前記電機子鉄心２４１、２４２、２４３、２４４のうち、電機子鉄心２４１、２４２はボルト２５３によって着脱可能に結合され、電機子鉄心２４３、２４４は固定軸２１０に強制圧入されて固定ディスク２５１に固定される。よって、図５に示した実施例は、図１に示した実施例の回転子が軸方向に２段のコアを備え、固定子が軸方向に２段の電機子鉄心を備える。
【００５１】
図６は図３の実施例が軸方向に２列配置された誘導モーターの実施例を示す。
【００５２】
図６に示した誘導モーターは回転軸３１０、回転子３２０および固定子３４０を含む。
【００５３】
回転子３２０は回転ディスク３３１、３３２、コア３２１、３２２、３２３、３２４、および導体３２５、３２６、３２７、３２８、３２９、３３０を含む。コア３２１、３２２、３２３、３２４は軸方向に２列配置される。第１列のコア３２１、３２３および第２列のコア３２２、３２４それぞれは、図３に示した実施例と同様に、半径方向に２段に配置される。そして、それぞれの導体バー３２５、３２６、３２７、３２８、３２９、３３０は前記それぞれのコア３２１、３２２、３２３、３２４に円周方向に沿って複数挿入される。回転ディスク３３１、３３２は第１列の回転ディスク３３１と第２列の回転ディスク３３２から構成され、それぞれの回転ディスク３３１、３３２は回転軸３１０に固着される。第１列のコア３２２、３２３は第１列の回転ディスク３３１の一面に結合され、第２列のコア３２２、３２４は第２列の回転ディスク３３２の一面に結合される。
【００５４】
固定子３４０は固定ディスク３５１、３５２、電機子鉄心３４１、３４２、３４３、３４４および電機子コイル３４５、３４６、３４７、３４８、３４９、３５０を含む。電機子鉄心３４１、３４２、３４３、３４４は軸方向に２列配置される。第１列の電機子鉄心３４１、３４３および第２列の電機子鉄心３４２、３４４は、図３に示した実施例と同様に、半径方向に２段に配置される。そして、電機子コイル３４５、３４６、３４７、３４８、３４９、３５０は前記電機子鉄心３４１、３４２、３４３、３４４に巻線される。
【００５５】
固定ディスク３５１、３５２は軸方向に２列配置され、それぞれの固定ディスク３５１、３５２は回転軸３１０に相対的に回転可能にベアリングによって支持される。第１列の固定ディスク３５１の一面には第１列の電機子鉄心３４１、３４３が着脱可能にボルト３５３によって結合され、第２列の固定ディスク３５２の一面には第２列の電機子鉄心３４２、３４４が着脱可能にボルト３５３によって結合される。
【産業上の利用可能性】
【００５６】
本発明によれば、半径方向および軸方向に多段構成された固定子と回転子を備えた誘導モーターを提供することにより、体積は小さいが、大きいトルクを発生させることができる。また、発電機として使用したときは少ない分当りの回転数（ＲＰＭ）でも大きい電力を生産することができる。
【００５７】
本発明の一実施例は本発明の技術的思想を限定するものと解釈されてはならない。本発明の保護範囲は請求の範囲に記載された事項にのみ限定され、本発明の技術分野における通常の知識を有する者は本発明の技術的思想を多様に改良変更することが可能である。よって、このような改良および変更は、通常の知識を有する者に自明なことである限りは本発明の保護範囲に属するであろう。
【符号の説明】
【００５８】
１０    固定軸
２０    回転子
２１    第１コア
２３    第２コア
２５    第１導体バー
２７    第２導体バー
２９    第３導体バー
３１    回転ディスク
３３    ベアリング
３５    ボルト
４０    固定子
４１    第１電機子鉄心
４３    第２電機子鉄心
４５    第１電機子コイル
４７    第２電機子コイル
４９    第３電機子コイル
５１    固定ディスク
５３    ボルト
１１０    回転軸
１２０    回転子
１２１    第１コア
１２３    第２コア
１２５    第１導体バー
１２７    第２導体バー
１２９    第３導体バー
１３１    回転ディスク
１３３    ボルト
１４０    固定子
１４１    第１電機子鉄心
１４３    第２電機子鉄心
１４５    第１電機子コイル
１４７    第２電機子コイル
１４９    第３電機子コイル
１５３    ボルト
１５５    ベアリング
【図１】
2011504089.tif 000003
【図２】
2011504089.tif 000004
【図３】
2011504089.tif 000005
【図４】
2011504089.tif 000006
【図５】
2011504089.tif 000007
【図６】
2011504089.tif 000008
【国際調査報告】
2011504089.tif 000009
2011504089.tif 000010